(57)【要約】【課題】掃除機本体を立てて運転する際、電動送風機が過熱することが無く、最適の電力で運転できる電気掃除機を提供する。【解決手段】塵埃を吸引するための電動送風機１を内蔵した掃除機本体１０と、前記掃除機本体１０の下部に回動自在に取着された床ノズル１６と、前記電動送風機１を制御する電動送風機制御手段（図示せず）と、前記掃除機本体１０が立った状態か又は通常の掃除用に傾いた状態かを検知する状態検知手段３とを設け、前記掃除機本体１０を立てて運転するとき、前記電動送風機１への供給電力を低減するようにしたもので、前記掃除機本体１０を立てて運転したときは、床ノズル１６から吸引される空気の量が減るが、電動送風機１への供給電力が低減されるので、電動送風機１が過熱することはない。【選択図】図１
2008061924.tif 000002
【特許請求の範囲】
【請求項１】
塵埃を吸引するための電動送風機を内蔵した掃除機本体と、前記掃除機本体の下部に回動自在に取着された床ノズルと、前記電動送風機を制御する電動送風機制御手段と、前記掃除機本体が立った状態か又は通常の掃除用に傾いた状態かを検知する状態検知手段とを設け、前記掃除機本体を立てて運転するとき、前記電動送風機への供給電力を低減するようにした電気掃除機。
【請求項２】
掃除機本体を立てて運転して一定時間後に、電動送風機への通電を停止するようにした請求項１に記載の電気掃除機。
【請求項３】
塵埃を吸引するための電動送風機を内蔵した掃除機本体と、前記掃除機本体の下部に回動自在に取着された床ノズルと、前記電動送風機を制御する電動送風機制御手段と、一端が前記床ノズルに着脱自在に装着され前記掃除機本体と前記床ノズルを連通するホースと、前記ホースが前記床ノズルに装着されているかを検知するホース装着検知手段を設け、前記掃除機本体を立てた状態で運転する際、前記ホースが前記床ノズルから外れている時の前記電動送風機への供給電力を、前記ホースが前記床ノズルから外れていない時のそれより大きくなるようにした電気掃除機。
【請求項４】
電動送風機への供給電力を変えて吸い込み力を設定する吸込力設定手段を設け、ホースが床ノズルから外れている場合に、前記吸込力設定手段で吸込力を設定できるようにした請求項３に記載の電気掃除機。
【請求項５】
ホースの先端に取り付けられるアタッチメントの種類を判別するアタッチメント判別手段を設け、前記アタッチメントの種類に応じて、電動送風機に供給する電力を変えるようにした請求項３又は４に記載の電気掃除機。
【発明の詳細な説明】
【技術分野】
【０００１】
本発明は、電気掃除機に関するもので、特に、縦型の電気掃除機に関するものである。
【背景技術】
【０００２】
米国や英国では、図９に示すような縦型（アップライト型）の電気掃除機が多く普及しており、吸込具５１、延長管５２、小型ノズル５３、ダストブラシ５４など、さまざまな場所の掃除に適した形態のアタッチメントが、手軽に使用できるように、掃除機本体５０に装着されている。
【０００３】
通常の床面の掃除の際には、掃除機本体５０の上部にあるハンドル５７を持って、掃除機本体５０を倒して、床ノズル５６を床面上で移動させて行なう。
【０００４】
一方、使用者が、上記アタッチメントの一つを使用する場合は、図９に示すように、掃除機本体５０を、スタンド状態、すなわち立てた状態にして、塵埃を集める集塵室（図示せず）と床ノズル５６を連通するホース５５の床ノズル側を外して、そのホース５５だけで、或いはそのホース５５の先端に適切なアタッチメントを取り付けて、掃除機本体５０を運転しながら掃除を行うようになっている（例えば、特許文献１参照）。
【特許文献１】特開２００１−８７１７２号公報
【発明の開示】
【発明が解決しようとする課題】
【０００５】
しかしながら、上記従来の電気掃除機の構成では、アタッチメントの一つを使用するために掃除機本体５０を図９に示すようにスタンド状態で使用するときも、通常の床面掃除のときと同じように掃除機本体５０を運転するので、掃除機本体５０に内蔵され吸引風を発生させる電動送風機（図示せず）に流れる電流は変わらず、特に、スタンド状態で、ホース５５を、床ノズル５６から取り外さないで運転した場合は、床ノズル５６から流入する空気の風量が極端に低下してしまうので、スタンド状態での長時間運転は、前記電動送風機の過熱を招いてしまうという課題があった。
【０００６】
本発明は、前記従来の課題を解決するもので、掃除機本体がスタンド状態で使用される時に電動送風機に供給される電力を低減して、同電動送風機の過熱を防止することができる電気掃除機を提供することを目的としている。
【課題を解決するための手段】
【０００７】
前記従来の課題を解決するために、本発明の電気掃除機は、塵埃を吸引するための電動送風機を内蔵した掃除機本体と、前記掃除機本体の下部に回動自在に取着された床ノズルと、前記電動送風機を制御する電動送風機制御手段と、前記掃除機本体が立った状態か又は通常の掃除用に傾いた状態かを検知する状態検知手段とを設け、前記掃除機本体を立てて運転するとき、前記電動送風機への供給電力を低減するようにしたもので、前記掃除機本体を立てて運転したときは、床ノズルから吸引される空気の量が減るが、電動送風機への供給電力が低減されるので、電動送風機が過熱することはない。
【０００８】
また、本発明の電気掃除機は、塵埃を吸引するための電動送風機を内蔵した掃除機本体と、前記掃除機本体の下部に回動自在に取着された床ノズルと、前記電動送風機を制御する電動送風機制御手段と、一端が前記床ノズルに着脱自在に装着され前記掃除機本体と前記床ノズルを連通するホースと、前記ホースが前記床ノズルに装着されているかを検知するホース装着検知手段を設け、前記掃除機本体を立てた状態で運転する際、前記ホースが前記床ノズルから外れている時の前記電動送風機への供給電力を、前記ホースが前記床ノズルから外れていない時のそれより大きくなるようにしたもので、ホースを床ノズルから外して直接塵埃を吸引する場合、電動送風機への供給電力が大きいので掃除性能が低下することはない。
【発明の効果】
【０００９】
本発明の電気掃除機は、アタッチメント類などを使用するために掃除機本体を立てた状態で運転しても電動送風機が過熱することがない。
【発明を実施するための最良の形態】
【００１０】
第１の発明は、塵埃を吸引するための電動送風機を内蔵した掃除機本体と、前記掃除機本体の下部に回動自在に取着された床ノズルと、前記電動送風機を制御する電動送風機制御手段と、前記掃除機本体が立った状態か又は通常の掃除用に傾いた状態かを検知する状態検知手段とを設け、前記掃除機本体を立てて運転するとき、前記電動送風機への供給電力を低減するようにしたもので、前記掃除機本体を立てて運転したときは、床ノズルから吸引される空気の量が減るが、電動送風機への供給電力が低減されるので、電動送風機が過熱することはない。
【００１１】
第２の発明は、特に、第１の発明の掃除機本体を立てて運転して一定時間後に、電動送風機への通電を停止するようにしたもので、万が一掃除機本体を立てた状態での運転が長く続いたとしても安全である。
【００１２】
第３の発明は、塵埃を吸引するための電動送風機を内蔵した掃除機本体と、前記掃除機本体の下部に回動自在に取着された床ノズルと、前記電動送風機を制御する電動送風機制御手段と、一端が前記床ノズルに着脱自在に装着され前記掃除機本体と前記床ノズルを連通するホースと、前記ホースが前記床ノズルに装着されているかを検知するホース装着検知手段を設け、前記掃除機本体を立てた状態で運転する際、前記ホースが前記床ノズルから外れている時の前記電動送風機への供給電力を、前記ホースが前記床ノズルから外れていない時のそれより大きくなるようにしたもので、ホースを床ノズルから外して直接塵埃を吸引する場合、電動送風機への供給電力が大きいので掃除性能が低下することはない。
【００１３】
第４の発明は、特に、第３の発明の電動送風機への供給電力を変えて吸い込み力を設定する吸込力設定手段を設け、ホースが床ノズルから外れている場合に、前記吸込力設定手段で吸込力を設定できるようにしたもので、床ノズルから外したホースの一端で掃除する場合や、それにアタッチメントをつけて掃除するとき、被掃除面にあわせて使用者が吸込力を設定できるので、使用勝手が良い。
【００１４】
第５の発明は、特に、第３又は第４の発明のホースの先端に取り付けられるアタッチメントの種類を判別するアタッチメント判別手段を設け、前記アタッチメントの種類に応じて、電動送風機に供給する電力を変えるようにしたもので、アタッチメントの用途にに応じた吸込力を得ることができる。
【００１５】
以下、本発明の実施の形態について、図面を参照しながら説明する。なお、この実施の形態によりこの発明が限定されるものではない。
【００１６】
（実施の形態１）
図１は、本発明の第１の実施の形態における電気掃除機の外観図、図２は、同電気掃除機の要部断面図、図３は、同電気掃除機の回路ブロック図、図４は、同電気掃除機の動作説明図である。
【００１７】
図１〜３において、本実施の形態における電気掃除機は、塵埃を吸引するための電動送風機１を内蔵すると共に上方に操作用のハンドル１７を有する掃除機本体１０と、掃除機本体１０の下部に回動自在に取着された床ノズル１６から構成されている。掃除機本体１０は、掃除機本体１０が、立った状態（以下、「スタンド状態」という）か、通常の掃除状態、すなわち倒した状態にあるかを検知する状態検知手段３と、前記電動送風機１を制御する電動送風機制御手段２を備えている。１１は、掃除機本体１０内の集塵室（図示せず）と前記床ノズル１６を連通するホースで、床ノズル１６側端部は、床ノズル１６と着脱自在となっている。
【００１８】
本実施の形態では、状態検知手段３に、図２に示すようにマイクロスイッチ３ａを用いており、そのマイクロスイッチ３ａのレバー３ｂが、掃除機本体１０と一体に形成された突起５により操作されるもので、掃除機本体１０がスタンド状態の場合には、図２（ａ）に示すように、突起５は、レバー３ｂを操作しておらず、マイクロスイッチ３ａはオフ状態であるが、一方、図２（ｂ）に示すように、通常の掃除状態、すなわち掃除機本体１０が後方に倒れている場合には、突起５がレバー３ｂを操作するので、マイクロスイッチ３ａはオン状態となる。
【００１９】
６は、前記状態検知手段３（マイクロスイッチ３ａ）からの情報を入力し、掃除機本体１０がスタンド状態で運転されている時間を計測するスタンド状態時間計測手段、７は、前記状態検知手段３やスタンド状態時間計測手段６の情報を入力し、前記電動送風機制御手段２に、電動送風機１の電流・電力信号を出力する演算処理手段であり、掃除機本体１０がスタンド状態になってから予め設定した時間（本実施の形態では、３分としている）までは、電動送風機１への電流・電力を低減する信号を、それ以降は、電動送風機１の運転ｂを停止する信号を出力するように構成している。
【００２０】
以上のように構成された本実施の形態における電気掃除機の動作、作用について、図４を用いて説明する。
【００２１】
通常の掃除状態では、マイクロスイッチ３ａの接点は、オン状態なのでスタンド状態時間計測手段６は停止しており、演算処理手段７からは、電動送風機制御手段２に高電流・高電力信号が出力されているので、電動送風機１は、高電流・高電力で動作する。
【００２２】
小型ノズル５３などのアタッチメントを使った掃除を行なうために掃除機本体１０をスタンド状態にして運転を開始すると、マイクロスイッチ３ａの接点（図示せず）は、オフになりスタンド状態時間計測手段６は時間計測を開始する。同時に演算処理手段７は、マイクロスイッチ３ａのオフ信号を受け電動送風機制御手段２に低電流・低電力信号を出力するので、電動送風機１は、低電流・低電力で動作を継続する。
【００２３】
掃除機本体１０がスタンド状態になってから３分を過ぎると、スタンド状態時間計測手段６からの情報で、演算処理手段７は、電動送風機制御手段２に停止信号を出力するので、電動送風機１の運転が停止する。
【００２４】
以上のように、本実施の形態によれば、掃除機本体１０がスタンド状態の時に、電動送風機１の電流・電力を低下させるので、電動送風機１の過熱を防ぐことができると共に、万一掃除機本体１０のスタンド状態が長く続いたとしても、一定時間後、その運転が強制的に停止させられるので、安全である。
【００２５】
（実施の形態２）
図５は、本発明の第２の実施の形態における電気掃除機の外観斜視図、図６は、同電気掃除機の裏面部分斜視図、図７は、同電気掃除機の回路ブロック図、図８は、同電気掃除機の動作説明図である。なお、前記第１の実施の形態と同一部分については同一符号を付し、その説明を省略する。
【００２６】
図５〜７において、８は、床ノズル１６のホース１１が接続される部分に設けられ、ホース１１の床ノズル１６側端部が床ノズル１６に装着されているか検知するホース装着検知手段であり、本実施の形態では、マイクロスイッチ８ａを用いて、ホース１１が、床ノズル１６に装着されている場合には、図６（ａ）に示すように、ホース１１の内面でマイクロスイッチ８ａのレバー８ｂを押さえつけるので、マイクロスイッチ８ａはオン状態であるが、ホース１１を床ノズル１６から取り外すと、マイクロスイッチ８ａのレバー８ｂは、フリーになって操作されなくなるので、マイクロスイッチ８ａはオフ状態となる。
【００２７】
１２は、掃除機本体１０がスタンド状態で、しかもホース１１が床ノズル１６から外されている場合に、使用者が、電動送風機１に供給する電流・電力を変えて吸い込み力を設定できる吸込力設定手段である。
【００２８】
また１３は、ホース１１の先端に取り付けられる延長管１４、小型ノズル５３などのアタッチメントの種類を判別するアタッチメント判別手段であり、本実施の形態では、延長管１４が取り付けられたかどうかを検知するため、掃除機本体１０内にマイクロスイッチ１３ａを設け、前記ホース装着検知手段８の作用と同様に、延長管１４が掃除機本体１０に装着されている場合には、延長管１４自体によってマイクロスイッチ１３ａのレバー１３ｂが操作されるので、マイクロスイッチ１３ａはオン状態であるが、延長管１４を掃除機本体１０から取り外すと、マイクロスイッチ１３ａのレバー１３ｂは操作されなくなるので、マイクロスイッチ１３ａはオフ状態となる。
【００２９】
これらホース装着検知手段８、吸込力設定手段１２やアタッチメント判別手段１３の情報は、すべて演算処理手段７に入力され、ホース１１が本体１０から取り外された場合には電動送風機１への電流・電力をスタンド状態よりも増加させる信号を出力し、延長管１４が本体１０から取り外された場合には、電動送風機１の最高電流・電力信号を出力するように構成している。
【００３０】
以上のように構成された本実施の形態における電気掃除機の動作、作用について、図８を用いて説明する。
【００３１】
使用者が、小型ノズル５３などのアタッチメントを使用して掃除を行うために、掃除機本体１０をスタンド状態にして、ホース１１を床ノズル１６から取り外すと、ホース装着検知手段８であるマイクロスイッチ８ａはオフになる。すると、演算処理手段７からはスタンド状態よりも高い電流・電力が出力されるので、電動送風機１は、中電流・中電力となり、スタンド状態での掃除性能を確保することができる。
【００３２】
このとき、吸込力設定手段１２によって、使用者は、好みに応じて電流・電力を変えて吸い込み力を設定しても良い。
【００３３】
ここで使用者が、天井や高い壁面などより離れた場所の掃除を行うために、延長管１４を掃除機本体１０から取り外すと、アタッチメント判別手段１３であるマイクロスイッチ１３ａはオフになるので、演算処理手段７からは、もっとも高い電流・電力信号が出力され、電動送風機１は、高電流・高電力で運転され、延長管１４による損失を補い、スタンド状態での掃除性能を確保することができる。
【００３４】
なお本実施の形態では、検知するアタッチメントとして延長管１４を例に説明したが、たとえば隙間ノズルのように先端が細いアタッチメントなどを用いる場合には、吸込み音を下げるために、電流・電力を下げるようにしても良い。
【００３５】
この場合にも同様に、吸込力設定手段１２によって、使用者は、好みに応じて電流・電力を変えて吸い込み力を設定しても良い。
【産業上の利用可能性】
【００３６】
以上のように本発明にかかる電気掃除機は、掃除機本体がスタンド状態の場合に、電動送風機に供給する電力を低減するので、電動送風機が過熱することが無く、家庭用、業務用、店舗用の各種電気掃除機に適用できる。
【図面の簡単な説明】
【００３７】
【図１】本発明の第１の実施の形態における電気掃除機の外観図
【図２】（ａ）同電気掃除機の要部断面図（掃除機本体を立てた状態）、（ｂ）同電気掃除機の要部断面図（掃除機本体を倒した状態）、
【図３】同電気掃除機の回路ブロック図
【図４】同電気掃除機の動作説明図
【図５】本発明の第２の実施の形態における電気掃除機の外観斜視図
【図６】（ａ）同電気掃除機の裏面部分斜視図（ホースを床ノズルに装着した状態）、（ｂ）同電気掃除機の裏面部分斜視図（ホースを床ノズルから外した状態）
【図７】同電気掃除機の回路ブロック図
【図８】同電気掃除機の動作説明図
【図９】従来の電気掃除機の裏面斜視図
【符号の説明】
【００３８】
１      電動送風機
２      電動送風機制御手段
３      状態検知手段
３ａ    マイクロスイッチ
３ｂ    レバー
５      突起
６      スタンド状態時間計測手段
７      演算処理手段
８      ホース装着検知手段
８ａ    マイクロスイッチ
８ｂ    レバー
１０    掃除機本体
１１    ホース
１２    吸込力設定手段
１３    アタッチメント判別手段
１３ａ  マイクロスイッチ
１３ｂ  レバー
１４    延長管
１６    床ノズル
１７    ハンドル
【図１】
2008061924.tif 000003
【図２】
2008061924.tif 000004
【図３】
2008061924.tif 000005
【図４】
2008061924.tif 000006
【図５】
2008061924.tif 000007
【図６】
2008061924.tif 000008
【図７】
2008061924.tif 000009
【図８】
2008061924.tif 000010
【図９】
2008061924.tif 000011